(57)【要約】【課題】箱の容積はそのままで紙の使用量を従来のデコケースより１割以上減少させた折り畳み紙箱を提供する。【解決手段】開閉自在な各側板を開口部上下の相対向する端縁から開口部の中央へ向けた折り込み板２、７で形成し、折り込み板２、７に切り込み２ａ、７ａを設け、折り込み板２、７で開口部を閉じた際、各先端縁が当接するようにし、開口部の左右の相対向する端縁から折り込み小片５、９を設け、折り込み小片５、９の先端縁に２つの係止突片５ａ、９ａを設け、折り込み板２、７を折り目ａ、ｇを介して開口部を塞ぐように折り込み、上から折り込み小片５、９を折り目ｄ、ｉを介して折り込み板２、７上に折り込んで係止突片５ａ、９ａを切り込み２ａ、７ａに差し入れて係止することとした。【選択図】図１
0003150487.tif 000002
【実用新案登録請求の範囲】
【請求項１】
相対向する側面が開口した筒型で、前記開口部に開閉自在な側板を設けた直方体形状の折り畳み紙箱において、
前記開閉自在な各側板を、開口部の一対の相対向する端縁から折り目を介して開口部の中央へ向けた折り込み板によって形成し、当該各折り込み板の左右又は上下の位置に切り込みを夫々設け、当該各折り込み板で前記開口部を閉じた際、対向する各先端縁が当接するように形成し、
前記開口部の他対の相対向する端縁から折り目を介して折り込み小片を設け、当該折り込み小片の先端縁に２つの係止突片を夫々設け、
前記各折り込み板を折り目を介して開口部を塞ぐように折り込み、その上から前記各折り込み小片を折り目を介して前記折り込み板上に折り込んで当該折り込み小片の各係止突片を前記各折り込み板の左右又は上下の切り込みに差し入れて係止することを特徴とした、折り畳み紙箱。
【請求項２】
前記各折り込み板を閉じた際、各先端縁が若干重なるように形成したことを特徴とする、前記請求項１に記載の折り畳み紙箱。
【請求項３】
前記各折り込み板は同形同大に形成したことを特徴とする、前記請求項１又は２に記載の折り畳み紙箱。
【考案の詳細な説明】
【技術分野】
【０００１】
この考案は、洋菓子店等において、菓子やその他の食品等の持ち運びに使用される紙箱に関するものであって、例えば、デコレーションケーキやその他のものを持ち運ぶ折り畳み紙箱に関するものである。
【背景技術】
【０００２】
従来、洋菓子店において、ケーキなどの生菓子を販売する際、持ち運びに便利な紙箱を使用している。この様な紙箱の中に、デコレーションケーキを入れる、いわゆるデコケース（以下、単に『デコケース』と言う）と言うものがある。この様なデコケースの中に、上面に把手の付いたキャリータイプのものがある。
【先行技術文献】
【特許文献】
【０００３】
この様な折り畳み紙箱Ｂは、図４に示すように、やや、扁平な直方体であり、天板の中央に略環状の切り込みを二重に入れて、これらの切り込みを起こして立設して把手部を形成している。また、この紙箱は、筒型で、相対向する開口部の各側板が開閉自在となっており、この開口部の一つからケーキを出し入れするようになっている（特許文献１の図５参照）。
【特許文献１】実用新案登録第３１１４１１１号
【考案の開示】
【考案が解決しようとする課題】
【０００４】
しかしながら、この様な紙箱においては、紙材同士を重ね合わせて箱型を形成するため、紙材として余分な部分が多く使用されていた。一方、安価な折り畳み紙箱の生産のために、出来る限り使用する紙の量を減らすことが求められている。
【０００５】
この考案は、この様な状況に鑑みて行われたもので、箱としての容積はそのままで、紙の使用量を、前記従来のキャリータイプのデコケースよりおよそ１割以上減少させた折り畳み紙箱を提供して前記課題を解決するものである。
【課題を解決するための手段】
【０００６】
請求項１の考案は、相対向する側面が開口した筒型で、前記開口部に開閉自在な側板を設けた直方体形状の折り畳み紙箱において、前記開閉自在な各側板を、開口部の一対の相対向する端縁から折り目を介して開口部の中央へ向けた折り込み板によって形成し、当該各折り込み板の左右又は上下の位置に切り込みを夫々設け、当該各折り込み板で前記開口部を閉じた際、対向する各先端縁が当接するように形成する。
【０００７】
また、前記開口部の他対の相対向する端縁から折り目を介して折り込み小片を設け、当該折り込み小片の先端縁に２つの係止突片を夫々設け、前記各折り込み板を折り目を介して開口部を塞ぐように折り込み、その上から前記各折り込み小片を折り目を介して前記折り込み板上に折り込んで当該折り込み小片の各係止突片を前記各折り込み板の左右又は上下の切り込みに差し入れて係止する折り畳み紙箱とした。
【０００８】
請求項２の考案は、前記各折り込み板を閉じた際、各先端縁が若干重なるように形成した前記請求項１に記載の折り畳み紙箱とした。
【０００９】
請求項３の考案は、前記各折り込み板は同形同大に形成した前記請求項１又は２に記載の折り畳み紙箱とした。
【考案の効果】
【００１０】
請求項１又は３の考案によれば、前記開閉自在な各側板を、開口部の一対の相対向する端縁から折り目を介して開口部の中央へ向けた折り込み板によって形成し、当該各折り込み板の左右又は上下の位置に切り込みを夫々設け、当該各折り込み板で前記開口部を閉じた際、対向する各先端縁が当接する大きさに設けたので、従来の同じ容量のキャリータイプのデコケースよりも、およそ１割以上、紙の使用量を減少させた安価な折り畳み紙箱を提供することが出来る。
【００１１】
また、各板体を折り目を介して折り込み、その上から各折り込み小片を折り目を介して折り込んで当該折り込み小片の各係止突片を各折り込み板の左右等の切り込みに差し入れて係止することとしたので、原材料である紙の使用量を極力抑えた折り畳み紙箱でありながら、開閉自在な開口部の係止固定が容易かつ確実に出来、ケーキ等を入れる折り畳み紙箱として信頼性の高いものが提供出来る。
【００１２】
さらに、請求項２の考案によれば、各折り込み板を閉じた際、各先端縁が若干重なるように形成したので、折り畳み紙箱の開口部をより確実に閉じることが出来、箱内の閉鎖状態を保持することが出来る。特に、この折り畳み紙箱内に保冷材を入れた場合など、冷気が逃げるのをより抑えることが出来、長時間の移動にも耐え得るものである。
【考案を実施するための最良の形態】
【００１３】
相対向する側面が開口した筒型で、前記開口部に開閉自在な側板を設けた直方体形状の折り畳み紙箱において、前記開閉自在な各側板を、開口部の一対の相対向する端縁から折り目を介して開口部の中央へ向けた折り込み板によって形成し、当該各折り込み板の左右又は上下の位置に切り込みを夫々設け、当該各折り込み板で前記開口部を閉じた際、対向する各先端縁が当接するように形成する。
【００１４】
また、前記開口部の他対の相対向する端縁から折り目を介して折り込み小片を設け、当該折り込み小片の先端縁に２つの係止突片を夫々設け、前記各折り込み板を折り目を介して開口部を塞ぐように折り込み、その上から前記各折り込み小片を折り目を介して前記折り込み板上に折り込んで当該折り込み小片の各係止突片を前記各折り込み板の左右又は上下の切り込みに差し入れて係止する。
【００１５】
これにより、従来の同じ容量のキャリータイプのデコケースよりも、およそ１割以上、紙の使用量を減少させた安価な折り畳み紙箱を提供することが出来る。
【実施例１】
【００１６】
以下、この考案の実施例を図に基づいて説明する。
図１は、この考案の実施例の折り畳み紙箱の斜視図である。図２は、同折り畳み紙箱の展開図である。図３は、同折り畳み紙箱の左右の折り込み小片を開いた状態の斜視図である。図４は、従来のキャリータイプのデコケースの展開図である。
【００１７】
この実施例の折り畳み紙箱Ａを説明する。
筒型で、相対向する開口部に開閉自在な各側板を設けた扁平な直方体形状の折り畳み紙箱Ａにおいて、図２に示すように、正方形状の底板１の上端縁に折り目ａを介して、横長長方形状の折り込み板２を設け、下端縁にも同様に折り目ａを介して、横長長方形状の折り込み板２を設け、各折り込み板２上の左右の位置にコの字型の切り込み２ａを夫々設けている。
【００１８】
前記底板１の左端縁に折り目ｂを介して細幅の長方形状の貼着片３を設けている。前記底板１の右端縁には、折り目ｃを介して長方形状の左側板４を設け、この左側板４の上端縁及び下端縁に折り目ｄ、ｄを介して略長方形状の折り込み小片５、５を夫々設けている。これらの各折り込み小片５の上端縁又は下端縁の左右の位置に折り目ｅ、ｅを介して凸形状の係止突片５ａ、５ａを夫々設けており、これらの係止突片５ａの間は凹部５ｂとなっている。
【００１９】
前記左側板４の右端縁に折り目ｆを介して、前記底板１と同形同大の天板６を設けており、この天板６の略中央には、環状で相対向する二か所を除いて切り込み６ａを間をあけて二重に設けて把手部６ｂを設けている。また、この天板６の上端縁及び下端縁に折り目ｇ、ｇを介して、前記折り込み板２と同形同大の折り込み板７、７を夫々設けている。これらの各折り込み板７上の左右の位置にも、前記切り込み２ａと同形同大の切り込み７ａを夫々設けている。
【００２０】
この天板６の右端縁に折り目ｈを介して、前記左側板４と同形同大の長方形状の右側板８を設け、この右側板８の上端縁及び下端縁にも、折り目ｉ、ｉを介して前記折り込み小片５と同形同大の折り込み小片９を夫々設け、この各折り込み小片９の上端縁又は下端縁の左右の位置に折り目ｊ、ｊを介して、凸形状の係止突片９ａ、９ａを夫々設け、さらに、これらの係止突片９ａの間には凹部９ｂを設けている。
【００２１】
次に、この折り畳み紙箱Ａを組み立てる。
前記各折り目ｆ、ｃ、ｂ、ｈにより天板６を中心にして、左側板４、底板１、貼着片３及び右側板８を夫々順に折り込み、貼着片３を右側板８の内側に貼着して、底板１、左側板４、天板６及び右側板８から成る角筒型に設ける。そして、図３に示すように、この筒型の一方の開口部の折り込み板２、７を折り目ａ、ｇにより夫々折り込み、当該開口部を塞ぐ。
【００２２】
さらに、左側板４の折り込み小片５、右側板８の折り込み小片９を折り目ｄ、ｉにより夫々前記折り込み板２、７上に折り込み、各折り込み小片５、９の係止突片５ａ、９ａを折り目ｅ、ｊにより夫々折り込んで各折り込み板２、７の各切り込み２ａ、７ａに差し入れて係止する。この時、各折り込み小片５、９の係止突片５ａ、９ａの間に凹部５ｂ、９ｂを夫々設けているので、各折り込み小片５、９、及び各係止突片５ａ、９ａを把持し易く、各折り込み小片５、９の折り込み、及び係止突片５ａ、９ａの折り込みが簡単に出来る。さらに、この時、折り込まれた上下の折り込み板２、７の各先端縁は若干重なった状態となっている（図１及び図３の点線は下側の折り込み板２の先端縁を示す）。
【００２３】
これにより、前記筒型の各開口部は閉じられて、図１に示すように、扁平な直方体形状の折り畳み紙箱Ａが形成される。
【００２４】
そして、この折り畳み紙箱Ａを組み立てた後は、把手部６ｂを夫々起こして、持ち運ぶことが出来る。この実施例の紙箱は、デコレーションケーキを入れるキャリーデコの他、他の菓子等を入れる紙箱にももちろん使用出来るものである。
【００２５】
また、前記係止突片５ａ、９ａの係止を外し、各折り込み小片５、９及び各折り込み板２、７を折り目ｄ、ｉ、ａ、ｇにより開放して筒型にし、当該筒型の内側の対角線方向の相対向する一方の折り目ｂ、ｆにより、当該筒型を扁平に折り畳んで、当該紙箱Ａを組み立て折り畳み自在とする。
【００２６】
前記実施例では、筒型で、相対向する各開口部の四つの端縁に開閉自在な各側板を設けた直方体形状の折り畳み紙箱Ａとして、具体的に記載しているが、この折り畳み紙箱としては、前記実施例のものに限らず、この考案が実施出来るものであれば、他の構成のものでも良い。
【００２７】
また、折り畳み紙箱Ａの開口部の上下の端縁に折り込み板２、７を設け、左右の端縁に折り込み小片５、９を設けているが、これらは、位置を逆に、すなわち、開口部の上下の端縁に折り込み小片５、９を設け、左右の端縁に折り込み板２、７を設けても良い。しかし、折り込み板２、７を上から係止する役目の折り込み小片５、９は、やはり、開口部の短い端縁に設け、開口部の長い端縁には折り込み板２、７を設ける方が効果的である。
しても良い。
【００２８】
また、各折り込み板２、７を閉じた際の縦の長さを開口部の縦の長さよりやや長く設けているが、折り込み板２、７の長さはこれに限らず、開口部を閉じた際、当該開口部を塞ぎ、各折り込み板２、７の先端縁が当接する長さでも良い。また、各折り込み板２、７を同形同大に設けているが、必ずしも同形同大である必要は無く、一方を他方より長くしても良い。
【００２９】
また、折り込み板２、７の左右の位置に設けた切り込み２ａ、７ａをコの字型としているが、切り込み２ａ、７ａの形はコの字型に限らず、単に、直線状に設けたものなど他の形状でも良い。また、折り込み小片５、９の凹部５ｂ、９ｂは無くても良い。
【図面の簡単な説明】
【００３０】
【図１】この考案の実施例の折り畳み紙箱の斜視図である。
【図２】この考案の実施例の折り畳み紙箱の展開図である。
【図３】この考案の実施例の左右の折り込み小片を開いた状態の斜視図である。
【図４】従来のキャリータイプのデコケースの展開図である。
【符号の説明】
【００３１】
Ａ    折り畳み紙箱      Ｂ    従来の折り畳み紙箱
１    底板              ２    折り込み板          ２ａ  切り込み
３    貼着片            ４    右側板              ５    折り込み小片
５ａ  係止突片          ６    天板                ７    折り込み板
７ａ  切り込み          ８    左側板              ９    折り込み小片
【図１】
0003150487.tif 000003
【図２】
0003150487.tif 000004
【図３】
0003150487.tif 000005
【図４】
0003150487.tif 000006